【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
配送貴重品管理プロトコルに従ってワイヤレスネットワークを介してデータ通信する方法であって、
前記ワイヤレスネットワークを介して送信される媒体アクセス制御（ＭＡＣ）フレームを生成するように、送信デバイスを動作させることと、前記ＭＡＣフレームの生成は、
ビーコンフレーム送信タイプを表示するように前記ＭＡＣフレームのフレーム制御フィールドを設定することと、
前記送信デバイスのデバイスタイプの識別情報と、
前記ビーコンフレームのペイロードのデータ部に含まれるデータのタイプの識別情報と、
後続の通信に使用される代替チャネルの識別情報と、
前記送信デバイスのビーコン間隔期間の指定と、
前記受信デバイスのアソシエーション・タイムアウト時間の指定と、
前記受信デバイスの応答間隔期間の指定と、
前記ビーコンフレームのペイロードのデータ部に含まれるデータの長さの指定と、
前記ビーコンフレームのペイロードのデータ部と、
前記ビーコンフレームのペイロードに関連付けられている巡回冗長データの指定と、を含めるために前記ＭＡＣフレームのペイロード部を定義することと、
を含み、
前記ワイヤレスネットワークを介して、前記生成されたＭＡＣフレームを送信するように、前記送信デバイスを動作させることと、
前記ワイヤレスネットワークを介して、前記ＭＡＣフレームを受信するように、受信デバイスを動作させることと、
前記表示されたフレーム送信タイプとして前記ＭＡＣフレームを認識するように、前記受信デバイスを動作させることと、
前記表示されているフレーム送信タイプに対応する配送貴重品管理プロトコルのペイロード仕様に従って、前記ＭＡＣフレームのペイロード部を処理するように、前記受信デバイスを動作させることと、を備える、方法。
【請求項２】
前記送信デバイスおよび前記受信デバイスの各々は、ＩＥＥＥ８０２．１５．４規格および前記配送貴重品管理プロトコルの両方に準拠しており、
前記ＭＡＣフレームの非ペイロード部は、前記ＩＥＥＥ８０２．１５．４規格に準拠するワイヤレス通信デバイスで処理されるように規定され、
前記ＭＡＣフレームのペイロード部は、前記配送貴重品管理プロトコルに準拠するワイヤレス通信デバイスで処理されるように規定されている、請求項１に記載の、配送貴重品管理プロトコルに従ってワイヤレスネットワークを介してデータ通信する方法。
【請求項３】
前記送信デバイスのデバイスタイプは、固定の読み取りデバイス、可搬型の読み取りデバイス、ハンドヘルド・デバイス、およびタグ・デバイス、のうちの１つである、請求項１に記載の、配送貴重品管理プロトコルに従ってワイヤレスネットワークを介してデータ通信する方法。
【請求項４】
前記ビーコンフレームのペイロードのデータ部に含まれるデータのタイプは、デバイスの日付と時刻、デバイスの識別情報、デバイスの位置、デバイスの速度、およびデバイスの差分全地球測位システム補正、のうちの１つ以上を含む、請求項１に記載の、配送貴重品管理プロトコルに従ってワイヤレスネットワークを介してデータ通信する方法。
【請求項５】
前記送信デバイスのビーコン間隔期間は、連続するビーコン期間の合間を秒数で表す整数値であり、
各ビーコン期間は、前記ビーコンフレーム・タイプのＭＡＣフレームが設定された間隔で連続的に送信される期間の持続時間である、請求項１に記載の、配送貴重品管理プロトコルに従ってワイヤレスネットワークを介してデータ通信する方法。
【請求項６】
前記ビーコン間隔期間は１秒から２５５秒の範囲内であり、
前記ビーコン期間の持続時間は１秒であり、
前記設定間隔は６ミリ秒から１９ミリ秒の範囲内である、請求項５に記載の、配送貴重品管理プロトコルに従ってワイヤレスネットワークを介してデータ通信する方法。
【請求項７】
前記受信デバイスのアソシエーション・タイムアウト時間は、前記受信デバイスが前記送信デバイスのワイヤレスネットワークとのアソシエーションを解除される前に通信することなく経過しなければならないビーコン間隔の数である、請求項５に記載の、配送貴重品管理プロトコルに従ってワイヤレスネットワークを介してデータ通信する方法。
【請求項８】
前記受信デバイスの応答間隔期間は、前記受信デバイスがそのステータスを前記送信デバイスに伝えることが必要となる前に経過することが許されるビーコン間隔の最大数である、請求項５に記載の、配送貴重品管理プロトコルに従ってワイヤレスネットワークを介してデータ通信する方法。
【請求項９】
配送貴重品管理プロトコルに従ってワイヤレスネットワークを介してデータ通信する方法であって、
前記ワイヤレスネットワークを介して送信される媒体アクセス制御（ＭＡＣ）フレームを生成するように、送信デバイスを動作させることと、前記ＭＡＣフレームの生成は、
ブロードキャスト・ネットワーク探索フレーム送信タイプを表示するように前記ＭＡＣフレームのフレーム制御フィールドを設定することと、
前記送信デバイスのデバイスタイプの識別情報と、
前記ブロードキャスト・ネットワーク探索フレームとしてのメッセージタイプの識別情報と、
後続の通信に使用される代替チャネルの識別情報と、
前記送信デバイスのブロードキャスト間隔期間の指定と、
前記受信デバイスの応答間隔期間の指定と、
前記ブロードキャスト・ネットワーク探索フレームのペイロードのデータ部に含まれるデータのタイプの識別情報と、
前記ブロードキャスト・ネットワーク探索フレームのペイロードのデータ部と、
前記ブロードキャスト・ネットワーク探索フレームのペイロードに関連付けられている巡回冗長データの指定と、を含めるために前記ＭＡＣフレームのペイロード部を定義することと、
を含み、
前記ワイヤレスネットワークを介して、前記生成されたＭＡＣフレームを送信するように、前記送信デバイスを動作させることと、
前記ワイヤレスネットワークを介して、前記ＭＡＣフレームを受信するように、受信デバイスを動作させることと、
前記表示されたフレーム送信タイプとして前記ＭＡＣフレームを認識するように、前記受信デバイスを動作させることと、
前記表示されているフレーム送信タイプに対応する配送貴重品管理プロトコルのペイロード仕様に従って、前記ＭＡＣフレームのペイロード部を処理するように、前記受信デバイスを動作させることと、を備える、方法。
【請求項１０】
前記送信デバイスのデバイスタイプは、固定の読み取りデバイス、可搬型の読み取りデバイス、ハンドヘルド・デバイス、およびタグ・デバイス、のうちの１つである、請求項９に記載の、配送貴重品管理プロトコルに従ってワイヤレスネットワークを介してデータ通信する方法。
【請求項１１】
前記送信デバイスのブロードキャスト間隔期間は、連続するブロードキャスト期間の合間を秒数で表す整数値であり、
各ブロードキャスト期間は、前記ブロードキャスト・ネットワーク探索フレーム・タイプのＭＡＣフレームが設定された間隔で連続的に送信される期間の持続時間である、請求項９に記載の、配送貴重品管理プロトコルに従ってワイヤレスネットワークを介してデータ通信する方法。
【請求項１２】
前記ブロードキャスト間隔期間は１秒から２５５秒の範囲内であり、
前記ブロードキャスト期間の持続時間は１秒であり、
前記設定間隔は６ミリ秒から１９ミリ秒の範囲内である、請求項１１に記載の、配送貴重品管理プロトコルに従ってワイヤレスネットワークを介してデータ通信する方法。
【請求項１３】
前記受信デバイスの応答間隔期間は、前記受信デバイスがそのステータスを前記送信デバイスに伝えることが必要となる前に経過することが許されるブロードキャスト間隔の最大数である、請求項１１に記載の、配送貴重品管理プロトコルに従ってワイヤレスネットワークを介してデータ通信する方法。
【請求項１４】
前記ブロードキャスト・ネットワーク探索フレームのペイロードのデータ部に含まれるデータのタイプは、デバイスの日付と時刻、デバイスの識別情報、デバイスの位置、デバイスの速度、およびデバイスの差分全地球測位システム補正、のうちの１つ以上を含む、請求項９に記載の、配送貴重品管理プロトコルに従ってワイヤレスネットワークを介してデータ通信する方法。
【請求項１５】
配送貴重品管理プロトコルに従ってワイヤレスネットワークを介してデータ通信する方法であって、
前記ワイヤレスネットワークを介して送信される媒体アクセス制御（ＭＡＣ）フレームを生成するように、送信デバイスを動作させることと、前記ＭＡＣフレームの生成は、
コマンドフレーム送信タイプを表示するように前記ＭＡＣフレームのフレーム制御フィールドを設定することと、
前記送信デバイスのデバイスタイプの識別情報と、
前記コマンドフレームとしてのメッセージタイプの識別情報と、
前記コマンドフレームのペイロードのデータ部に含まれるデータの長さの指定と、
前記コマンドフレームで伝えられるコマンドのタイプの識別情報と、
前記コマンドフレームのペイロードのデータ部と、
前記コマンドフレームのペイロードに関連付けられた巡回冗長データの指定と、を含めるために前記ＭＡＣフレームのペイロード部を定義することと、
を含み、
前記ワイヤレスネットワークを介して、前記生成されたＭＡＣフレームを送信するように、前記送信デバイスを動作させることと、
前記ワイヤレスネットワークを介して、前記ＭＡＣフレームを受信するように、受信デバイスを動作させることと、
前記表示されたフレーム送信タイプとして前記ＭＡＣフレームを認識するように、前記受信デバイスを動作させることと、
前記表示されているフレーム送信タイプに対応する配送貴重品管理プロトコルのペイロード仕様に従って、前記ＭＡＣフレームのペイロード部を処理するように、前記受信デバイスを動作させることと、を備える、方法。
【請求項１６】
前記送信デバイスのデバイスタイプは、固定の読み取りデバイス、可搬型の読み取りデバイス、ハンドヘルド・デバイス、およびタグ・デバイス、のうちの１つである、請求項１５に記載の、配送貴重品管理プロトコルに従ってワイヤレスネットワークを介してデータ通信する方法。
【請求項１７】
配送貴重品管理プロトコルに従ってワイヤレスネットワークを介してデータ通信する方法であって、
前記ワイヤレスネットワークを介して送信される媒体アクセス制御（ＭＡＣ）フレームを生成するように、送信デバイスを動作させることと、前記ＭＡＣフレームの生成は、
データフレーム送信タイプを表示するように前記ＭＡＣフレームのフレーム制御フィールドを設定することと、 
前記送信デバイスのデバイスタイプの識別情報と、
前記データフレームとしてのメッセージタイプの識別情報と、
前記データフレームのペイロードのデータ部に含まれるデータの長さの指定と、
前記データフレームのペイロードのデータ部に含まれるデータに関連付けられたパケットタイプの識別情報と、
前記データフレームのペイロードのデータ部と、
前記データフレームのペイロードに関連付けられた巡回冗長データの指定と、を含めるために前記ＭＡＣフレームのペイロード部を定義することと、
を含み、
前記ワイヤレスネットワークを介して、前記生成されたＭＡＣフレームを送信するように、前記送信デバイスを動作させることと、
前記ワイヤレスネットワークを介して、前記ＭＡＣフレームを受信するように、受信デバイスを動作させることと、
前記表示されたフレーム送信タイプとして前記ＭＡＣフレームを認識するように、前記受信デバイスを動作させることと、
前記表示されているフレーム送信タイプに対応する配送貴重品管理プロトコルのペイロード仕様に従って、前記ＭＡＣフレームのペイロード部を処理するように、前記受信デバイスを動作させることと、を備える、方法。
【請求項１８】
前記送信デバイスのデバイスタイプは、固定の読み取りデバイス、可搬型の読み取りデバイス、ハンドヘルド・デバイス、およびタグ・デバイス、のうちの１つである、請求項１７に記載の、配送貴重品管理プロトコルに従ってワイヤレスネットワークを介してデータ通信する方法。
【請求項１９】
前記パケットタイプの識別情報は、保存されているデータまたはリアルタイム・データのいずれかとしての、前記データフレームのペイロードのデータ部に含まれるデータの識別情報を含む、請求項１７に記載の、配送貴重品管理プロトコルに従ってワイヤレスネットワークを介してデータ通信する方法。
【請求項２０】
配送貴重品管理プロトコルに従ってワイヤレスネットワークを介してデータ通信する方法であって、
前記ワイヤレスネットワークを介して送信される媒体アクセス制御（ＭＡＣ）フレームを生成するように、送信デバイスを動作させることと、前記ＭＡＣフレームの生成は、
確認応答フレーム送信タイプを表示するように前記ＭＡＣフレームのフレーム制御フィールドを設定することと、
前記送信デバイスのデバイスタイプの識別情報と、
前記確認応答フレームとしてのメッセージタイプの識別情報と、
前記確認応答フレームの長さの指定と、
成功応答または失敗応答のどちらかとしての確認応答値の指定と、
前記確認応答フレームにより確認される通信のシーケンス番号の識別情報と、
成功応答の場合には当該記確認応答フレームにより確認されるパケット識別子の識別情報、または失敗応答の場合にはエラータイプの識別情報と、
前記送信デバイスのレディ状態の指定と、
処理されたコマンドのシーケンスを示すインクリメント・カウンタ値の指定と、
前記送信デバイスが使用しているスリープタイマー値の指定と、
前記送信デバイスが前記ワイヤレスネットワークを介した通信に使用している現在のネットワークチャネルの識別情報と、
前記確認応答フレームのペイロードに関連付けられた巡回冗長データの指定と、を含めるために前記ＭＡＣフレームのペイロード部を定義することと、
を含み、
前記ワイヤレスネットワークを介して、前記生成されたＭＡＣフレームを送信するように、前記送信デバイスを動作させることと、
前記ワイヤレスネットワークを介して、前記ＭＡＣフレームを受信するように、受信デバイスを動作させることと、
前記表示されたフレーム送信タイプとして前記ＭＡＣフレームを認識するように、前記受信デバイスを動作させることと、
前記表示されているフレーム送信タイプに対応する配送貴重品管理プロトコルのペイロード仕様に従って、前記ＭＡＣフレームのペイロード部を処理するように、前記受信デバイスを動作させることと、を備える、方法。
【請求項２１】
前記送信デバイスのデバイスタイプは、固定の読み取りデバイス、可搬型の読み取りデバイス、ハンドヘルド・デバイス、およびタグ・デバイス、のうちの１つである、請求項２０に記載の、配送貴重品管理プロトコルに従ってワイヤレスネットワークを介してデータ通信する方法。
【請求項２２】
前記送信デバイスのレディ状態の指定は、前記送信デバイスがさらなるデータを受け取る準備ができている場合は０であり、
前記送信デバイスのレディ状態の指定は、前記送信デバイスがさらなるデータを受け取る準備ができるまで遅延させるための０より大きい秒数である、請求項２０に記載の、配送貴重品管理プロトコルに従ってワイヤレスネットワークを介してデータ通信する方法。
【手続補正２】
【補正対象書類名】明細書
【補正対象項目名】０１６４
【補正方法】変更
【補正の内容】
【０１６４】
本発明について、いくつかの実施形態によって説明を行ったが、当然のことながら、当業者であれば、上記明細書を読み、図面を詳査することで、種々の変更、追加、置換、およびその均等物を思いつくであろう。従って、本発明は、発明の真の精神および範囲に含まれるすべての変更、追加、置換、および均等物を含むものである。
適用例１：（ａ）第１の期間中に規定の間隔で通信フレームを連続的に送信することと、（ｂ）前記第１の期間の後に、第２の期間、前記通信フレームの送信を停止することと、（ｃ）前記第２の期間の後に、処理（ａ）、（ｂ）、および（ｃ）を繰り返すことと、を含むワイヤレスネットワーク・オペレーションの方法。
適用例２：連続する通信フレーム送信の間の前記規定の間隔は、６ミリ秒から１９ミリ秒の範囲内に設定される、適用例１に記載のワイヤレスネットワーク・オペレーションの方法。
適用例３：前記第１の期間の持続時間は１秒である、適用例１に記載のワイヤレスネットワーク・オペレーションの方法。
適用例４：前記第２の期間の持続時間は１秒から２５５秒の範囲内である、適用例１に記載のワイヤレスネットワーク・オペレーションの方法。
適用例５：前記通信フレームは、ＩＥＥＥ８０２．１５．４通信プロトコルの媒体アクセス制御（ＭＡＣ）フレームである、適用例１に記載のワイヤレスネットワーク・オペレーションの方法。
適用例６：前記ＭＡＣフレームは、ビーコンフレームとしてフォーマットされており、
前記ビーコンフレームは、前記ＩＥＥＥ８０２．１５．４通信プロトコルとは別の配送管理プロトコルに従ってフォーマットされたペイロード部を含む、適用例５に記載のワイヤレスネットワーク・オペレーションの方法。
適用例７：前記ＭＡＣフレームは、ブロードキャスト・ネットワーク探索（ＢＮＤ）フレームとしてフォーマットされており、前記ＢＮＤフレームは、前記ＩＥＥＥ８０２．１５．４通信プロトコルとは別の配送管理プロトコルに従ってフォーマットされたペイロード部を含む、適用例５に記載のワイヤレスネットワーク・オペレーションの方法。
適用例８：前記通信フレームを受信および処理するように、ネットワーク・デバイスを動作させることと、ネットワークへの参加要求を前記通信フレームの送信元のデバイスに送信することにより前記通信フレームに応答するように、前記ネットワーク・デバイスを動作させることと、をさらに含む、適用例１に記載のワイヤレスネットワーク・オペレーションの方法。
適用例９：前記ネットワーク・デバイスがネットワークに参加することを許可、あるいは前記ネットワーク・デバイスがネットワークに参加することを拒否、するように、前記通信フレームの送信元の前記デバイスを動作させることをさらに含む、適用例８に記載のワイヤレスネットワーク・オペレーションの方法。
適用例１０：配送貴重品管理プロトコルに従ってワイヤレスネットワークを介してデータ通信する方法であって、前記ワイヤレスネットワークを介して送信される媒体アクセス制御（ＭＡＣ）フレームを生成するように、送信デバイスを動作させることと、前記ＭＡＣフレームの生成は、フレーム送信タイプを表示するように前記ＭＡＣフレームのフレーム制御フィールドを設定することと、前記表示されているフレーム送信タイプに対応する配送貴重品管理プロトコルのペイロード仕様に従って、前記ＭＡＣフレームのペイロード部を定義することと、を含み、前記ワイヤレスネットワークを介して、前記生成されたＭＡＣフレームを送信するように、前記送信デバイスを動作させることと、前記ワイヤレスネットワークを介して、前記ＭＡＣフレームを受信するように、受信デバイスを動作させることと、前記表示されたフレーム送信タイプとして前記ＭＡＣフレームを認識するように、前記受信デバイスを動作させることと、前記表示されているフレーム送信タイプに対応する配送貴重品管理プロトコルのペイロード仕様に従って、前記ＭＡＣフレームのペイロード部を処理するように、前記受信デバイスを動作させることと、を備える、方法。
適用例１１：前記送信デバイスおよび前記受信デバイスの各々は、ＩＥＥＥ８０２．１５．４規格および前記配送貴重品管理プロトコルの両方に準拠しており、前記ＭＡＣフレームの非ペイロード部は、前記ＩＥＥＥ８０２．１５．４規格に準拠するワイヤレス通信デバイスで処理されるように規定され、前記ＭＡＣフレームのペイロード部は、前記配送貴重品管理プロトコルに準拠するワイヤレス通信デバイスで処理されるように規定されている、適用例１０に記載の、配送貴重品管理プロトコルに従ってワイヤレスネットワークを介してデータ通信する方法。
適用例１２：前記フレーム送信タイプは、ビーコンフレーム、ブロードキャスト・ネットワーク探索フレーム、データフレーム、コマンドフレーム、および確認応答フレーム、のうちの１つである、適用例１０に記載の、配送貴重品管理プロトコルに従ってワイヤレスネットワークを介してデータ通信する方法。
適用例１３：前記フレーム送信タイプはビーコンフレームであり、このビーコンフレームに対応する配送貴重品管理プロトコルのペイロード仕様は、前記送信デバイスのデバイスタイプの識別情報と、前記ビーコンフレームのペイロードのデータ部に含まれるデータのタイプの識別情報と、後続の通信に使用される代替チャネルの識別情報と、前記送信デバイスのビーコン間隔期間の指定と、前記受信デバイスのアソシエーション・タイムアウト時間の指定と、前記受信デバイスの応答間隔期間の指定と、前記ビーコンフレームのペイロードのデータ部に含まれるデータの長さの指定と、前記ビーコンフレームのペイロードのデータ部と、前記ビーコンフレームのペイロードに関連付けられている巡回冗長データの指定と、を含む、適用例１０に記載の、配送貴重品管理プロトコルに従ってワイヤレスネットワークを介してデータ通信する方法。
適用例１４：前記送信デバイスのデバイスタイプは、固定の読み取りデバイス、可搬型の読み取りデバイス、ハンドヘルド・デバイス、およびタグ・デバイス、のうちの１つである、適用例１３に記載の、配送貴重品管理プロトコルに従ってワイヤレスネットワークを介してデータ通信する方法。
適用例１５：前記ビーコンフレームのペイロードのデータ部に含まれるデータのタイプは、デバイスの日付と時刻、デバイスの識別情報、デバイスの位置、デバイスの速度、およびデバイスの差分全地球測位システム補正、のうちの１つ以上を含む、適用例１３に記載の、配送貴重品管理プロトコルに従ってワイヤレスネットワークを介してデータ通信する方法。
適用例１６：前記送信デバイスのビーコン間隔期間は、連続するビーコン期間の合間を秒数で表す整数値であり、各ビーコン期間は、前記ビーコンフレーム・タイプのＭＡＣフレームが設定された間隔で連続的に送信される期間の持続時間である、適用例１３に記載の、配送貴重品管理プロトコルに従ってワイヤレスネットワークを介してデータ通信する方法。
適用例１７：前記ビーコン間隔期間は１秒から２５５秒の範囲内であり、前記ビーコン期間の持続時間は１秒であり、前記設定間隔は６ミリ秒から１９ミリ秒の範囲内である、適用例１６に記載の、配送貴重品管理プロトコルに従ってワイヤレスネットワークを介してデータ通信する方法。
適用例１８：前記受信デバイスのアソシエーション・タイムアウト時間は、前記受信デバイスが前記送信デバイスのワイヤレスネットワークとのアソシエーションを解除される前に通信することなく経過しなければならないビーコン間隔の数である、適用例１６に記載の、配送貴重品管理プロトコルに従ってワイヤレスネットワークを介してデータ通信する方法。
適用例１９：前記受信デバイスの応答間隔期間は、前記受信デバイスがそのステータスを前記送信デバイスに伝えることが必要となる前に経過することが許されるビーコン間隔の最大数である、適用例１６に記載の、配送貴重品管理プロトコルに従ってワイヤレスネットワークを介してデータ通信する方法。
適用例２０：前記フレーム送信タイプはブロードキャスト・ネットワーク探索フレームであり、このブロードキャスト・ネットワーク探索フレームに対応する配送貴重品管理プロトコルのペイロード仕様は、
前記送信デバイスのデバイスタイプの識別情報と、前記ブロードキャスト・ネットワーク探索フレームとしてのメッセージタイプの識別情報と、後続の通信に使用される代替チャネルの識別情報と、前記送信デバイスのブロードキャスト間隔期間の指定と、前記受信デバイスの応答間隔期間の指定と、前記ブロードキャスト・ネットワーク探索フレームのペイロードのデータ部に含まれるデータのタイプの識別情報と、前記ブロードキャスト・ネットワーク探索フレームのペイロードのデータ部と、前記ブロードキャスト・ネットワーク探索フレームのペイロードに関連付けられている巡回冗長データの指定と、を含む、適用例１０に記載の、配送貴重品管理プロトコルに従ってワイヤレスネットワークを介してデータ通信する方法。
適用例２１：前記送信デバイスのデバイスタイプは、固定の読み取りデバイス、可搬型の読み取りデバイス、ハンドヘルド・デバイス、およびタグ・デバイス、のうちの１つである、適用例２０に記載の、配送貴重品管理プロトコルに従ってワイヤレスネットワークを介してデータ通信する方法。
適用例２２：前記送信デバイスのブロードキャスト間隔期間は、連続するブロードキャスト期間の合間を秒数で表す整数値であり、各ブロードキャスト期間は、前記ブロードキャスト・ネットワーク探索フレーム・タイプのＭＡＣフレームが設定された間隔で連続的に送信される期間の持続時間である、適用例２０に記載の、配送貴重品管理プロトコルに従ってワイヤレスネットワークを介してデータ通信する方法。
適用例２３：前記ブロードキャスト間隔期間は１秒から２５５秒の範囲内であり、前記ブロードキャスト期間の持続時間は１秒であり、前記設定間隔は６ミリ秒から１９ミリ秒の範囲内である、適用例２２に記載の、配送貴重品管理プロトコルに従ってワイヤレスネットワークを介してデータ通信する方法。
適用例２４：前記受信デバイスの応答間隔期間は、前記受信デバイスがそのステータスを前記送信デバイスに伝えることが必要となる前に経過することが許されるブロードキャスト間隔の最大数である、適用例２２に記載の、配送貴重品管理プロトコルに従ってワイヤレスネットワークを介してデータ通信する方法。
適用例２５：前記ブロードキャスト・ネットワーク探索フレームのペイロードのデータ部に含まれるデータのタイプは、デバイスの日付と時刻、デバイスの識別情報、デバイスの位置、デバイスの速度、およびデバイスの差分全地球測位システム補正、のうちの１つ以上を含む、適用例２０に記載の、配送貴重品管理プロトコルに従ってワイヤレスネットワークを介してデータ通信する方法。
適用例２６：前記フレーム送信タイプはコマンドフレームであり、このコマンドフレームに対応する配送貴重品管理プロトコルのペイロード仕様は、前記送信デバイスのデバイスタイプの識別情報と、前記コマンドフレームとしてのメッセージタイプの識別情報と、前記コマンドフレームのペイロードのデータ部に含まれるデータの長さの指定と、前記コマンドフレームで伝えられるコマンドのタイプの識別情報と、前記コマンドフレームのペイロードのデータ部と、前記コマンドフレームのペイロードに関連付けられた巡回冗長データの指定と、を含む、適用例１０に記載の、配送貴重品管理プロトコルに従ってワイヤレスネットワークを介してデータ通信する方法。
適用例２７：前記送信デバイスのデバイスタイプは、固定の読み取りデバイス、可搬型の読み取りデバイス、ハンドヘルド・デバイス、およびタグ・デバイス、のうちの１つである、適用例２６に記載の、配送貴重品管理プロトコルに従ってワイヤレスネットワークを介してデータ通信する方法。
適用例２８：前記フレーム送信タイプはデータフレームであり、このデータフレームに対応する配送貴重品管理プロトコルのペイロード仕様は、前記送信デバイスのデバイスタイプの識別情報と、前記データフレームとしてのメッセージタイプの識別情報と、前記データフレームのペイロードのデータ部に含まれるデータの長さの指定と、前記データフレームのペイロードのデータ部に含まれるデータに関連付けられたパケットタイプの識別情報と、前記データフレームのペイロードのデータ部と、前記データフレームのペイロードに関連付けられた巡回冗長データの指定と、を含む、適用例１０に記載の、配送貴重品管理プロトコルに従ってワイヤレスネットワークを介してデータ通信する方法。
適用例２９：前記送信デバイスのデバイスタイプは、固定の読み取りデバイス、可搬型の読み取りデバイス、ハンドヘルド・デバイス、およびタグ・デバイス、のうちの１つである、適用例２８に記載の、配送貴重品管理プロトコルに従ってワイヤレスネットワークを介してデータ通信する方法。
適用例３０：前記パケットタイプの識別情報は、保存されているデータまたはリアルタイム・データのいずれかとしての、前記データフレームのペイロードのデータ部に含まれるデータの識別情報を含む、適用例２８に記載の、配送貴重品管理プロトコルに従ってワイヤレスネットワークを介してデータ通信する方法。
適用例３１：前記フレーム送信タイプは確認応答フレームであり、この確認応答フレームに対応する配送貴重品管理プロトコルのペイロード仕様は、前記送信デバイスのデバイスタイプの識別情報と、前記確認応答フレームとしてのメッセージタイプの識別情報と、前記確認応答フレームの長さの指定と、成功応答または失敗応答のどちらかとしての確認応答値の指定と、前記確認応答フレームにより確認される通信のシーケンス番号の識別情報と、成功応答の場合には当該記確認応答フレームにより確認されるパケット識別子の識別情報、または失敗応答の場合にはエラータイプの識別情報と、前記送信デバイスのレディ状態の指定と、処理されたコマンドのシーケンスを示すインクリメント・カウンタ値の指定と、前記送信デバイスが使用しているスリープタイマー値の指定と、前記送信デバイスが前記ワイヤレスネットワークを介した通信に使用している現在のネットワークチャネルの識別情報と、前記確認応答フレームのペイロードに関連付けられた巡回冗長データの指定と、を含む、適用例１０に記載の、配送貴重品管理プロトコルに従ってワイヤレスネットワークを介してデータ通信する方法。
適用例３２：前記送信デバイスのデバイスタイプは、固定の読み取りデバイス、可搬型の読み取りデバイス、ハンドヘルド・デバイス、およびタグ・デバイス、のうちの１つである、適用例３１に記載の、配送貴重品管理プロトコルに従ってワイヤレスネットワークを介してデータ通信する方法。
適用例３３：前記送信デバイスのレディ状態の指定は、前記送信デバイスがさらなるデータを受け取る準備ができている場合は０であり、前記送信デバイスのレディ状態の指定は、前記送信デバイスがさらなるデータを受け取る準備ができるまで遅延させるための０より大きい秒数である、適用例３１に記載の、配送貴重品管理プロトコルに従ってワイヤレスネットワークを介してデータ通信する方法。
適用例３４：配送貴重品管理プロトコルに従ってワイヤレスネットワークを介してデータ通信するように規定されたデバイスであって、ワイヤレス送受信機と、前記ワイヤレス送受信機と協働して動作することにより、前記配送貴重品管理プロトコルに従ってワイヤレス通信の送受信を行うように規定されているプロセッサと、を備え、前記プロセッサは、前記ワイヤレスネットワークを介して送信される媒体アクセス制御（ＭＡＣ）フレームを生成するように規定されている送信モジュールを有し、前記ＭＡＣフレームの生成は、フレーム送信タイプを表示するために前記ＭＡＣフレームのフレーム制御フィールドを設定することと、前記表示されたフレーム送信タイプに対応する配送貴重品管理プロトコルのペイロード仕様に従って前記ＭＡＣフレームのペイロード部を定義することと、を含み、前記送信モジュールは、前記ワイヤレスネットワークを介して、前記生成されたＭＡＣフレームを送信するように、前記ワイヤレス送受信機に指示するように規定されており、前記プロセッサは、さらに、前記ワイヤレスネットワークから前記ワイヤレス送受信機を介して受信したＭＡＣフレームを処理するように規定されている受信モジュールを有し、前記受信モジュールは、前記受信したＭＡＣフレームのフレーム送信タイプを認識し、前記認識したフレーム送信タイプに対応する配送貴重品管理プロトコルのペイロード仕様に従って、前記受信したＭＡＣフレームのペイロード部を処理するように規定されている、デバイス。
適用例３５：前記デバイスは、固定の読み取りデバイス、可搬型の読み取りデバイス、ハンドヘルド・デバイス、およびタグ・デバイス、のうちの１つである、適用例３４に記載の、配送貴重品管理プロトコルに従ってワイヤレスネットワークを介してデータ通信するように規定されたデバイス。
適用例３６：前記プロセッサおよび前記ワイヤレス送受信機は、ＩＥＥＥ８０２．１５．４規格と前記配送貴重品管理プロトコルの両方に準拠するように規定されており、前記ＭＡＣフレームの非ペイロード部は、前記ＩＥＥＥ８０２．１５．４規格に準拠したワイヤレス通信デバイスで処理されるように規定され、前記ＭＡＣフレームのペイロード部は、前記配送貴重品管理プロトコルに準拠したワイヤレス通信デバイスで処理されるように規定される、適用例３４に記載の、配送貴重品管理プロトコルに従ってワイヤレスネットワークを介してデータ通信するように規定されたデバイス。
適用例３７：前記フレーム送信タイプは、ビーコンフレーム、ブロードキャスト・ネットワーク探索フレーム、データフレーム、コマンドフレーム、確認応答フレーム、のうちの１つである、適用例３４に記載の、配送貴重品管理プロトコルに従ってワイヤレスネットワークを介してデータ通信するように規定されたデバイス。